(57)【要約】  【課題】衣服のベルト通しなどの被装着部に容易に着脱できるとともに、被装着部の表面を効果的に装飾することのできる装飾具を提供することにある。  【解決手段】本発明にかかる装飾具は、筒状若しくは少なくとも一部が平面視で環状に形成された本体部と、当該本体部の表面に施された装飾部とを備え、前記本体部に装着用開口部を形成し、前記本体部を装着用開口部から被装着部に着脱可能に構成したことを特徴とするものである。  【選択図】図３
2007068607.tif 000002
【特許請求の範囲】
【請求項１】
筒状若しくは少なくとも一部が平面視で環状に形成された本体部と、当該本体部の表面に施された装飾部とを備え、
前記本体部に装着用開口部を形成し、前記本体部を装着用開口部から被装着部に着脱可能に構成したことを特徴とする装飾具。
【請求項２】
被装着部が、衣服のベルト通しであることを特徴とする請求項１記載の装飾具。
【請求項３】
装飾部が、本体部の表面に直接形成されていることを特徴とする請求項１または２記載の装飾具。
【請求項４】
装飾部が、本体部に対して着脱可能に設けられていることを特徴とする請求項１または２記載の装飾具。
【請求項５】
本体部の一部に、小物吊持用環が設けられていることを特徴とする請求項１から請求項４のいずれかに記載の装飾具。
【発明の詳細な説明】
【技術分野】
【０００１】
本発明は、衣服やファッション小物等に着脱可能に取り付けられる装飾具に関するもので、特に、衣服等に縫着されているベルト通しに取り付けられる装飾具に関するものである。
【背景技術】
【０００２】
本願発明者は、衣服のウエスト部に着脱可能に取り付けられる装飾具として、衣服のウエスト部に、例えば上または下に開口する袋状または筒状の装着部を形成し、この装着部に装飾具の本体部を着脱可能に取り付けるように構成したものを既に提案している。 (例えば特許文献１参照)。
【０００３】
しかしながら、上記提案の装飾具は、衣服のウエスト部に袋状または筒状の装着部を形成するために、布地片を衣服のウエスト部に縫着する必要があることから、複雑な縫製工程となり、手間がかかり、製造コストが高くつく。
また、上記提案の装飾具は、前記装着部が縫着されている箇所にしか、その本体部を取り付けることができず、前記装着部が縫着されていない衣服に装着するのは困難である。
【特許文献１】特願２００４−２１５８９４号公報
【発明の開示】
【発明が解決しようとする課題】
【０００４】
本発明は、上記問題点に鑑みてなされたものであって、その目的とするところは、衣服のベルト通しなどの被装着部に容易に着脱できるとともに、被装着部の表面を効果的に装飾することのできる装飾具を提供することにある。
【課題を解決するための手段】
【０００５】
請求項１記載の発明は、筒状若しくは少なくとも一部が平面視で環状に形成された本体部と、当該本体部の表面に施された装飾部とを備え、前記本体部に装着用開口部を形成し、前記本体部を装着用開口部から被装着部に着脱可能に構成したことを特徴とするものである。
【０００６】
請求項２記載の発明は、請求項１記載の発明において、被装着部が、衣服のベルト通しであることを特徴とするものである。
【０００７】
請求項３記載の発明は、請求項１または２記載の発明において、装飾部が、本体部の表面に直接形成されていることを特徴とするものである。
【０００８】
請求項４記載の発明は、請求項１または２記載の発明において、装飾部が、本体部に対して着脱可能に設けられていることを特徴とするものである。
【０００９】
請求項５記載の発明は、請求項１から請求項４のいずれかに記載の発明において、本体部の一部に、小物吊持用環が設けられていることを特徴とするものである。
【発明の効果】
【００１０】
請求項１記載の発明によれば、筒状若しくは少なくとも一部が平面視で環状に形成された本体部と、当該本体部の表面に施された装飾部とを備え、前記本体部に装着用開口部を形成し、前記本体部を装着用開口部から被装着部に着脱可能に構成されているので、
本体部を装着するための装着部を被装着部にわざわざ形成しなくても、本体部を被装着部に装着することができる。
また、本体部を被装着部に装着することにより、本体部の表面に施された装飾部によって被装着部を装飾することができ、雰囲気や気分に合わせて被装着部の印象を容易に変化させて楽しむことができる。
【００１１】
請求項２記載の発明によれば、請求項１記載の発明において、被装着部が、衣服のベルト通しであるので、上記の効果に加えて、ベルト通しに取り付けるだけで、ベルト通しの表面を装飾することができ、衣服の雰囲気を簡単に変化させることができるし、衣服に合わせて装飾具を取り替えることもできる。
【００１２】
請求項３記載の発明によれば、請求項１または２記載の発明において、装飾部が、本体部の表面に直接形成されているので、上記の効果に加えて、本体部に対する装飾部の一体感が高くデザイン性に優れる上、本体部からの装飾部の欠落や紛失も防止できる。
【００１３】
請求項４記載の発明によれば、請求項１または２記載の発明において、装飾部が、本体部に対して着脱可能に設けられているので、上記の効果に加えて、装飾部を取り付けた状態と、取り外した状態の二通りの使用形態を楽しむことができる上、デザインの異なる別の装飾部に取り替えて使用することもでき、よりバリエーション豊かなファッションを楽しむことができる。
【００１４】
請求項５記載の発明によれば、請求項１から請求項４のいずれかに記載の発明において、本体部の一部に、小物吊持用環が設けられているので、上記の効果に加えて、例えば、キーホルダー、ファッションチェーンなどの小物類を装飾具に取り付けることができる。
【発明を実施するための最良の形態】
【００１５】
以下、本発明にかかる装飾具の第１の実施形態について詳細に説明する。
【００１６】
本実施形態の装飾具１ａは、金属製で、図１に示すように、楕円筒状の本体部２ａと、本体部２ａの前面に施された装飾部３と、本体部２ａの下端部に形成された小物吊持用環４とから構成されている。
【００１７】
本体部２ａは、上下両端に開口部２１，２２を有しており、図２に示すように、本体部２ａの内部は、被装着部としての衣服のベルト通しＴ１の幅よりも広く、ベルト通しＴ１のベルト挿通部分の長さと略同じ長さに形成されている。本体部２ａの側面には、上下両端の開口部２１，２２に連通するとともに、本体部２ａの内部に連通するスリット状の装着用開口部２３ａが形成されている。装着用開口部２３ａの開口幅は、衣服のベルト通しＴ１を本体部２ａ内に挿入できるように、衣服のベルト通しＴ１の厚さよりもやや広く形成されている。また、装着用開口部２３ａの開口端部には、本体部２ａ内に鉤状に突出する抜け止め部２４ａが形成されている。
【００１８】
装飾部３は、デザイン性を有する装飾模様からなり、本体部２ａの前面に直接施されている。
【００１９】
小物吊持用環４は、図３に示すように、キーホルダーやファッションチェーンなどのフック部Ｆを係止可能な環状に形成されており、本体部２ａの前面側の下端部に設けられている。
【００２０】
ここで、装飾具１ａの製造方法としては、例えば、断面円形の管状部材を径方向に押圧して断面楕円形状に形成した後、管状部材の側面部をレーザービーム等によって開口し、その後、所定の長さに切断し、上下両端の開口部２１，２２と、側面の装着用開口部２３ａとを備えた楕円筒体を形成する。次に、この楕円筒体の装着用開口部２３ａの開口端部を内方に屈曲形成して鉤状の抜け止め部２４ａを形成し、管の表面に、レーザービームや切削機器等により、切削模様や透かし模様などの装飾模様を施した装飾部３を備えた本体部２ａを形成する。そして、本体部２ａの下端部に、プレス成形によって成形された小物吊持用環４をスポット溶接などにより、本体部２ａに取り付ける。
【００２１】
次に、本実施形態の装飾具１ａを衣服のベルト通しＴ１に取り付ける取り付け手順について説明する。まず、図２に示すように、装飾具１ａをその装飾部３が表われるように装着用開口部２３ａをベルト通しＴ１の側方に配置する。次に、ベルト通しＴ１を装飾具１ａの装着用開口部２３ａから本体部２ａ内に挿通させて、衣服のベルト通しＴ１に装飾具１を取り付ける。最後に、図３に示すように、キーホルダーやファッションチェーンなどのフック部Ｆを小物吊持用環４に係止させる。
【００２２】
以上詳述した通り、本実施形態の装飾具１ａによれば、本体部２ａの側面に装着用開口部２３ａが形成されているので、本体部を装着するための装着部を衣服側に形成しなくても、装着用開口部２３ａを介して、衣服のベルト通しＴ１に簡単に装着することができる。
【００２３】
また、本体部２ａの前面に装飾部３が施されているので、ベルト通しＴ１の前面部を装飾部３によって装飾することにより、衣服の雰囲気を簡単に変化させることができるし、衣服に合わせて装飾具を取り替えることもできる。
【００２４】
また、装飾部３が本体部２ａに一体形成されているので、本体部２ａに対する装飾部３の一体感が高く、デザイン性に優れる上、装飾部３の欠落や紛失も防止できる。また、構造がシンプルで成形しやすい上、部品点数も少ないため、製造が容易であるという利点もある。
【００２５】
さらに、装着用開口部２３ａが、本体部２ａの側面に形成されているので、ベルト通しＴ１を装着用開口部２３ａ内に案内しやすく、装着が容易である。また、装着用開口部２３ａが、外観上目立ちにくく、デザイン性にも優れる。さらに、装着用開口部２３ａには、鉤状の抜け止め部２４ａが形成されているので、装飾具１ａがベルト通しＴ１から抜け落ちるのを確実に防止できる。
【００２６】
また、小物吊持用環４が、本体部２ａの下端部に形成されているので、小物吊持用環４を介して、例えばキーホルダーやファッションチェーンなどの小物類のフック部Ｆを装飾具１ａに簡単に取り付けることができる。小物類は、装飾具１ａを介して、衣服のベルト通しＴ１に保持されるため、ベルト通しＴ１の幅よりも小さなフック部Ｆを吊持でき、便利である上、小物類の荷重を分散させることができ、ベルト通しＴ１の布傷みを効果的に防止することができる。また、装飾具１ａと、装飾具１ａに取り付けられる小物類との相乗効果によって、さらにバリエーション豊かなファッションを楽しむことができる。
【００２７】
また、装飾具１ａは、金属製なので、耐久性に優れる上、金属独特の光沢や質感が得られ、外観にも優れる。
【００２８】
また、小物吊持用環４は、本体部２ａの下端部に限られず、例えば、本体部２ａの側面に形成しても構わない。また、小物吊持用環４は、環状に限られず、フック形状に形成されていてもよい。このようにすれば、フック部Ｆを備えていない小物類であっても小物吊持用環４に取り付けることができる。
【００２９】
次に、本発明にかかる装飾具の他の実施形態について、図４から図８を用いて、順に説明する。なお、上記の第１の実施形態と同一の構成部分については、同一の符号を表記して、詳細な説明は省略するものとする。
【００３０】
第２の実施形態の装飾具１ｂは、図４に示すように、本体部２ｂが断面略矩形の角筒状に形成されており、本体部２ｂの側面には、上下両端の開口部２１，２２に連通するとともに、本体部２ｂの内部に連通するスリット状の装着用開口部２３ｂが屈曲形成されている。なお、本体部２ｂの前面には、図示は省略したが、装飾部が形成される。
本実施形態の装飾具１ｂによれば、上記効果に加えて、取り付け開口部３ｂが本体部２ｂの一側面に屈曲形成されているので、装飾具１ｂがベルト通しＴ１から抜け落ちにくい。そのため、装飾具１ａのように、抜け止め部２４ａを形成しなくてもよく、製造工程を簡素化できる。また、本体部２ｂの前面が平面状であるので、装飾部を形成しやすいという利点もある。
【００３１】
第３の実施形態の装飾具１ｃは、図５に示すように、本体部２ｃが平面視で略楕円状に形成されていて、本体部２ｃの背面には、上下両端の開口部２１，２２に連通するとともに、本体部２ｃの内部に連通する装着用開口部２３ｃが形成されている。装着用開口部２３ｃは、本体部２ｃの上下両端部分において開口幅が狭く、本体部２ｃの上下方向中間部分において開口幅が広くなっている。
本実施形態の装飾具１ｃによれば、上記効果に加えて、装着用開口部２３ｃの開口幅の狭い部分が、本体部２ｃの上下両端部分だけであって、本体部２ｃの中間部分においては開口幅が広いので、衣服のベルト通しに着脱しやすい。また、装着用開口部２３ｃが外観上現れにくいので、美観に優れるという利点もある。さらに、装着用開口部２３ｃの開口面積を大きくしてあるので、軽量化を図ることができる。
【００３２】
第４の実施形態の装飾具１ｄは、図６に示すように、本体部２ｄが平面視で略楕円状に形成されていて、本体部２ｄには、上下両端の開口部２１，２２に連通するとともに、本体部２ａの内部に連通する装着用開口部２３ｄが形成されている。装着用開口部２３ｄは、本体部２ｄの上端部分において、本体部２ｄの一側面にスリット状に形成され、本体部２ｄの下端部分において、本体部２ｄの他側面に同じくスリット状に形成され、本体部２ｄの上下方向中間部分において、本体部２ｄの背面全体に形成されている。また、装着用開口部２３ｄは、本体部２ｄの上下端部分において、本体部２ｄ内に折り返されてなる鉤状の抜け止め部２４ｄが形成されている。
本実施形態の装飾具１ｄによれば、上記効果に加えて、装着用開口部２３ｄの開口幅の狭い部分が、本体部２ｄの上端部分と下端部分とにおいて、それぞれ左右反対側の側面に形成されているので、衣服のベルト通しＴ１に着脱しやすい。また、装着用開口部２３ｄの開口幅の狭い部分が、本体部２ｄの上下両端部分だけであって、本体部２ｄの中間部分においては開口幅が広いので、衣服のベルト通しＴ１にさらに着脱しやすい。また、装着用開口部２３ｄの開口面積を大きくしてあるので、軽量化を図ることができる。
【００３３】
なお、上記実施形態の装飾具１ａ〜１ｄは、本体部２ａ〜２ｄの前面に装飾部３を設けているが、装飾部３を設ける箇所は、衣服のベルト通しに装着した時に外部から視認できる箇所に設けられていればよい。つまり、装飾部３を設ける箇所は、本体部２ａ〜２ｄの前面を含んでいることが好ましいが、これに限られず、本体部２ａの側面だけでもよい。なお、本体部２ａ〜２ｄの背面に、前面の装飾部３と同一の柄の装飾部を設ければ、本体部２ａの表裏を確認することなくベルト通しＴ１に取り付けることができて便利であるし、本体部２ａの背面に、前面の装飾部３とは異なる柄の装飾部を設ければ、ファッションに合わせて２種類の装飾パターンを使い分けることができる。
【００３４】
また、上記実施形態の装飾具１ａ〜１ｄは、装飾部３が本体部２ａ〜２ｄに一体に形成されているが、これに限定されることはない。
第５の実施形態の装飾具１ｅは、図７に示すように、表面に装飾模様が施された装飾部３としての装飾部材５ｅを、本体部２ｅとは別個に形成するとともに、本体部２ｅの表面と装飾部材５ｅの裏面とを磁性体で構成し、磁性体の吸着力によって、装飾部材５ｅを本体部２ｅに着脱可能に装着する構成となっている。このようにすれば、装飾部材５ｅを本体部２ｅに取り付けた状態と、取り外した状態の二通りの使用形態を楽しむことができる上、デザインの異なる別の装飾部材に取り替えて使用することもでき、よりバリエーション豊かなファッションを楽しむことができる。
【００３５】
また、装飾部を本体部に装着する装着手段は、磁性体の吸着力に限られず、他の手段によっても構わない。
第６の実施形態の装飾具１ｆは、図８に示すように、本体部２ｆの表面にスライドレール６を形成するととも、本体部２ｆとは別個に形成された、表面に図示しない装飾模様が施された装飾部材５ｆの裏面にスライドレール６に嵌合する嵌合溝７を形成し、本体部２ｆのスライドレール６に装飾部材５ｆの嵌合溝７を嵌合させることによって、装飾部材５ｆを本体部２ｆに着脱可能に装着する構成となっている。ここで、スライドレール６の下端部には、本体部２ｆから装飾部材５ｆが抜け落ちないように突起部８が突設されているとともに、装飾部材５ｆの下端部には、この突起部８に係合する係合溝９が形成されている。
【００３６】
第７の実施形態の装飾具１ｇは、図９に示すように、装飾具１ａにおいて、小物吊持用環４を形成しないで、楕円筒状の本体部２ａと、本体部２ａの前面に施された装飾部３とから構成されている。
【００３７】
なお、装飾具１ａ〜１ｇは、ズボンやスカート等に形成されているベルト通しに限られず、例えば、コートやワンピースなどに形成されているベルト通しに装着してもよい。さらに、衣服だけでなく、例えば、ベルト自体に設けられているベルト通しや、ベルトのデザインを取り入れたバッグや靴などに装着してもよい。さらに、図１０（ａ）に示すように、板状で、基端部がネックレスのチェーンに取り付けられ、先端部が幅広になっているペンダントトップＴ２に装着したり、図１０（ｂ）に示すように、長さ方向中央部分に止め具を備えたネックレスＴ３に装着したり、図１０（ｃ）に示すように、環状に形成されたブレスレットＴ４の外周部分に装着したりすることができ、これらペンダントトップＴ２、ネックレスＴ３、ブレスレットＴ４の美観や雰囲気を容易に変えることができる。
【００３８】
また、装飾具１ａ〜１ｇは、金属製に限られず、所定の形状に成形可能で、衣服のベルト通しに装着できる適度な硬さを備えている材料であれば、特に限定されるものではない。したがって、例えば、合成樹脂製、陶器製、木製、紙製、皮革製などでもよい。また、合成樹脂製の基材の表面に金属メッキを施したものでも構わない。特に、合成樹脂製であれば、材料コストが低い上、射出成形等によって大量生産できるので、廉価に大量に供給できる。また、軽量で取り扱いやすいという利点もある。
【００３９】
さらに、装飾具１ａ〜１ｇが、弾性変形可能な材質であれば、装着用開口部２３ａ〜２３ｆの開口幅が、被装着部の厚さよりも狭い場合であっても、装着用開口部２３ａ〜２３ｆを拡開させて、被装着部に本体部２ａ〜２ｆを装着させることができ、装着性に優れる。さらに、軟質の材料であれば、被装着部が湾曲していたり屈曲していたりしていても、被装着部の形状に沿って被装着部に装着することができ、より装着性に優れる。
【図面の簡単な説明】
【００４０】
【図１】本発明にかかる第１の実施形態の装飾具１ａを示す外観斜視図である。
【図２】図１に示す装飾具１ａの使用手順を示す説明図である。
【図３】図１に示す装飾具１ａの使用例を示す説明図である。
【図４】本発明にかかる第２の実施形態の装飾具１ｂを示す外観斜視図である。
【図５】本発明にかかる第３の実施形態の装飾具１ｃを示す外観斜視図である。
【図６】本発明にかかる第４の実施形態の装飾具１ｄを示す外観斜視図である。
【図７】本発明にかかる第５の実施形態の装飾具１ｅを示す外観斜視図である。
【図８】本発明にかかる第６の実施形態の装飾具１ｆを示す外観斜視図である。
【図９】本発明にかかる第７の実施形態の装飾具１ｇを示す外観斜視図である。
【図１０】（ａ）図９に示す装飾具１ｇの使用例を示す説明図である。（ｂ）図９に示す装飾具１ｇの使用例を示す説明図である。（ｃ）図９に示す装飾具１ｇの使用例を示す説明図である。
【符号の説明】
【００４１】
１ａ〜１ｇ      装飾具
２ａ〜２ｆ      本体部
２３ａ〜２３ｆ  装着用開口部
３              装飾部
４              小物吊持用環
５ｅ，５ｆ      装飾部材（装飾部）
Ｔ１            ベルト通し（被装着部）
Ｔ２            ペンダントトップ（被装着部）
Ｔ３            ネックレス（被装着部）
Ｔ４            ブレスレット（被装着部）
【図１】
2007068607.tif 000003
【図２】
2007068607.tif 000004
【図３】
2007068607.tif 000005
【図４】
2007068607.tif 000006
【図５】
2007068607.tif 000007
【図６】
2007068607.tif 000008
【図７】
2007068607.tif 000009
【図８】
2007068607.tif 000010
【図９】
2007068607.tif 000011
【図１０】
2007068607.tif 000012
【手続補正書】
【提出日】平成18年11月10日(2006.11.10)
【手続補正１】
【補正対象書類名】特許請求の範囲
【補正対象項目名】全文
【補正方法】変更
【補正の内容】
【特許請求の範囲】
【請求項１】
金属材料または合成樹脂材料からなり、上下両端が開口した筒状かつ少なくとも一部が平面視において環状に形成された本体部と、当該本体部の表面に設けられた装飾部とを備え、
本体部が、ベルト通しのベルト挿通部分の長さと略同じ長さを有しているとともに、衣服のベルト通しに着脱可能に取り付けるためのスリット状の装着用開口部を備えており、
装着用開口部が、本体部の上下両端の開口部に連通するとともに、本体部の内部に連通していて、本体部の上下両端部分において開口幅が狭く、本体部の上下方向中間部分において開口幅が広くなるように形成されていることを特徴とする装飾具。
【手続補正２】
【補正対象書類名】明細書
【補正対象項目名】全文
【補正方法】変更
【補正の内容】
【発明の詳細な説明】
【技術分野】
【０００１】
本発明は、衣服のベルト通しに取り付けられる装飾具に関するものである。
【背景技術】
【０００２】
本願発明者は、衣服のウエスト部に着脱可能に取り付けられる装飾具として、衣服のウエスト部に、例えば上または下に開口する袋状または筒状の装着部を形成し、この装着部に装飾具の本体部を着脱可能に取り付けるように構成したものを既に提案している。 (例えば特許文献１参照)。
【０００３】
しかしながら、上記提案の装飾具は、衣服のウエスト部に袋状または筒状の装着部を形成するために、布地片を衣服のウエスト部に縫着する必要があることから、複雑な縫製工程となり、手間がかかり、製造コストが高くつく。
また、上記提案の装飾具は、前記装着部が縫着されている箇所にしか、その本体部を取り付けることができず、前記装着部が縫着されていない衣服に装着するのは困難である。
【特許文献１】特願２００４−２１５８９４号公報
【発明の開示】
【発明が解決しようとする課題】
【０００４】
本発明は、上記問題点に鑑みてなされたものであって、その目的とするところは、衣服のベルト通しに容易に着脱できるとともに、衣服のベルト通しの表面を効果的に装飾することのできる装飾具を提供することにある。
【課題を解決するための手段】
【０００５】
請求項１記載の発明は、金属材料または合成樹脂材料からなり、上下両端が開口した筒状かつ少なくとも一部が平面視において環状に形成された本体部と、当該本体部の表面に設けられた装飾部とを備え、本体部が、ベルト通しのベルト挿通部分の長さと略同じ長さを有しているとともに、衣服のベルト通しに着脱可能に取り付けるためのスリット状の装着用開口部を備えており、装着用開口部が、本体部の上下両端の開口部に連通するとともに、本体部の内部に連通していて、本体部の上下両端部分において開口幅が狭く、本体部の上下方向中間部分において開口幅が広くなるように形成されていることを特徴とするものである。
【０００６】
（削除）
【０００７】
（削除）
【０００８】
（削除）
【０００９】
（削除）
【発明の効果】
【００１０】
請求項１記載の発明によれば、金属材料または合成樹脂材料からなり、上下両端が開口した筒状かつ少なくとも一部が平面視において環状に形成された本体部と、当該本体部の表面に設けられた装飾部とを備え、本体部が、ベルト通しのベルト挿通部分の長さと略同じ長さを有しているとともに、衣服のベルト通しに着脱可能に取り付けるためのスリット状の装着用開口部を備えているので、
本体部をベルト通しに取り付けるだけで、ベルト通しの表面を装飾部によって効果的に装飾することができ、衣服の雰囲気を簡単に変化させることができる。また、本発明の装飾具は、装飾部が本体部の表面に設けられているので、本体部に対する装飾部の一体感が高くデザイン性に優れる上、構造がシンプルで成形し易い。
また、装着用開口部が、本体部の上下両端の開口部に連通するとともに、本体部の内部に連通していて、本体部の上下両端部分において開口幅が狭く、本体部の上下方向中間部分において開口幅が広くなるように形成されているので、ベルト通しに対して着脱しやすいという効果がある。さらに、装着用開口部の開口面積が大きいので、装飾具の軽量化を図ることができる。
また、本体部が金属材料からなるものでは、耐久性に優れる上、金属独特の光沢や質感が得られ、外観にも優れる。また、本体部が合成樹脂材料からなるものでは、軽量で取り扱いやすいという利点がある。
【００１１】
（削除）
【００１２】
（削除）
【００１３】
（削除）
【００１４】
（削除）
【発明を実施するための最良の形態】
【００１５】
以下、本発明にかかる装飾具の第１の実施形態について詳細に説明する。
【００１６】
本実施形態の装飾具１ｃは、金属製で、図１に示すように、平面視で略楕円状に形成された本体部２ｃと、本体部２ｃの前面に施された装飾部３とから構成されている。
【００１７】
本体部２ｃは、上下両端に開口部２１，２２を有しており、図３に示すように、本体部２ｃの内部は衣服のベルト通しＴ１の幅よりも広く、ベルト通しＴ１のベルト挿通部分の長さと略同じ長さに形成されている。
本体部２ｃの背面には、上下両端の開口部２１，２２に連通するとともに、本体部２ｃの内部に連通するスリット状の装着用開口部２３ｃが形成されている。装着用開口部２３ｃの開口幅は、衣服のベルト通しＴ１を本体部２ｃ内に挿入できるように、衣服のベルト通しＴ１の厚さよりやや広く形成されており、本体部２ｃの上下両端部分において開口幅が狭く、本体部２ｃの上下方向中間部分において開口幅が広くなっている。
【００１８】
装飾部３は、デザイン性を有する装飾模様からなり、本体部２ｃの前面に直接施されている。
【００１９】
（削除）
【００２０】
ここで、装飾具１ｃの製造方法としては、例えば、断面円形の管状部材を径方向に押圧して断面楕円形状に形成した後、管状部材の側面部をレーザービーム等によって開口し、その後、所定の長さに切断し、上下両端の開口部２１，２２と、背面の装着用開口部２３ｃとを備えた平面視で略楕円状に形成する。次に、管の表面に、レーザービームや切削機器等により、切削模様や透かし模様などの装飾模様を施して装飾部３を備えた本体部２ｃを形成する。
【００２１】
次に、本実施形態の装飾具１ｃを衣服のベルト通しＴ１に取り付ける取り付け手順について説明する。まず、図３に示すように、装飾具１ｃをその装飾部３が表われるように装着用開口部２３ｃをベルト通しＴ１の側方に配置する。次に、ベルト通しＴ１を装飾具１ｃの装着用開口部２３ｃから本体部２ｃ内に挿通させて、衣服のベルト通しＴ１に装飾具１ｃを取り付ける。
【００２２】
以上詳述した通り、本実施形態の装飾具１ｃによれば、本体部２ｃの背面に装着用開口部２３ｃが形成されているので、本体部を装着するための装着部を衣服側に形成しなくても、装着用開口部２３ｃを介して、衣服のベルト通しＴ１に簡単に装着することができる。
【００２３】
また、本体部２ｃの前面に装飾部３が施されているので、ベルト通しＴ１の前面部を装飾部３によって装飾することにより、衣服の雰囲気を簡単に変化させることができるし、衣服に合わせて装飾具を取り替えることもできる。
【００２４】
また、装飾部３が本体部２ｃに一体形成されているので、本体部２ｃに対する装飾部３の一体感が高く、デザイン性に優れる上、装飾部３の欠落や紛失も防止できる。また、構造がシンプルで成形しやすい上、部品点数も少ないため、製造が容易であるという利点もある。
【００２５】
さらに、本実施形態の装飾具１ｃによれば、装着用開口部２３ｃの開口幅の狭い部分が、本体部２ｃの上下両端部分だけであって、本体部２ｃの中間部分においては開口幅が広いので、衣服のベルト通しに着脱しやすい。また、装着用開口部２３ｃが外観上現れにくいので、美観に優れるという利点もある。さらに、装着用開口部２３ｃの開口面積を大きくしてあるので、軽量化を図ることができる。
【００２６】
（削除）
【００２７】
また、装飾具１ｃは、金属製なので、耐久性に優れる上、金属独特の光沢や質感が得られ、外観にも優れる。
【００２８】
（削除）
【００２９】
次に、本発明にかかる装飾具の他の実施形態について、図２を用いて、説明する。なお、上記の第１の実施形態と同一の構成部分については、同一の符号を表記して、詳細な説明は省略するものとする。
【００３０】
（削除）
【００３１】
（削除）
【００３２】
第２の実施形態の装飾具１ｄは、図２に示すように、本体部２ｄが平面視で略楕円状に形成されていて、本体部２ｄには、上下両端の開口部２１，２２に連通するとともに、本体部２ｄの内部に連通する装着用開口部２３ｄが形成されている。装着用開口部２３ｄは、本体部２ｄの上端部分において、本体部２ｄの一側面にスリット状に形成され、本体部２ｄの下端部分において、本体部２ｄの他側面に同じくスリット状に形成され、本体部２ｄの上下方向中間部分において、本体部２ｄの背面全体に形成されている。また、装着用開口部２３ｄは、本体部２ｄの上下端部分において、本体部２ｄ内に折り返されてなる鉤状の抜け止め部２４ｄが形成されている。
本実施形態の装飾具１ｄによれば、上記効果に加えて、装着用開口部２３ｄの開口幅の狭い部分が、本体部２ｄの上端部分と下端部分とにおいて、それぞれ左右反対側の側面に形成されているので、衣服のベルト通しＴ１に着脱しやすい。また、装着用開口部２３ｄの開口幅の狭い部分が、本体部２ｄの上下両端部分だけであって、本体部２ｄの中間部分においては開口幅が広いので、衣服のベルト通しＴ１にさらに着脱しやすい。また、装着用開口部２３ｄの開口面積を大きくしてあるので、軽量化を図ることができる。
【００３３】
なお、上記実施形態の装飾具１ｃ，１ｄは、本体部２ｃ，２ｄの前面に装飾部３を設けているが、装飾部３を設ける箇所は、衣服のベルト通しに装着した時に外部から視認できる箇所に設けられていればよい。つまり、装飾部３を設ける箇所は、本体部２ｃ，２ｄの前面を含んでいることが好ましいが、これに限られず、本体部２ｃの側面だけでもよい。なお、本体部２ｃ，２ｄの背面に、前面の装飾部３と同一の柄の装飾部を設ければ、本体部２ｃの表裏を確認することなくベルト通しＴ１に取り付けることができて便利であるし、本体部２ｃの背面に、前面の装飾部３とは異なる柄の装飾部を設ければ、ファッションに合わせて２種類の装飾パターンを使い分けることができる。
【００３４】
（削除）
【００３５】
（削除）
【００３６】
（削除）
【００３７】
（削除）
【００３８】
また、装飾具１ｃ，１ｄは、金属製に限られず、所定の形状に成形可能で、衣服のベルト通しに装着できる適度な硬さを備えている材料であれば、合成樹脂製でもよい。また、合成樹脂製の基材の表面に金属メッキを施したものでも構わない。特に、合成樹脂製であれば、材料コストが低い上、射出成形等によって大量生産できるので、廉価に大量に供給できる。また、軽量で取り扱いやすいという利点もある。
【００３９】
（削除）
【図面の簡単な説明】
【００４０】
【図１】本発明にかかる第１の実施形態の装飾具１ｃを示す外観斜視図である。
【図２】本発明にかかる第２の実施形態の装飾具１ｄを示す外観斜視図である。
【図３】本発明にかかる装飾具の使用手順を示す説明図である。
【符号の説明】
【００４１】
１ｃ  装飾具
１ｄ  装飾具
２ｃ  本体部
２ｄ  本体部
２３ｃ  装着用開口部
２３ｄ  装着用開口部
３    装飾部
Ｔ１  ベルト通し
【手続補正３】
【補正対象書類名】図面
【補正対象項目名】全図
【補正方法】変更
【補正の内容】
【図１】
2007068607.tif 000013
【図２】
2007068607.tif 000014
【図３】
2007068607.tif 000015